(57)【要約】【課題】  誘導ＵＲＬへの対応が可能であり、かつフィルタリングのルールの一部を自動更新することが可能であって、必要な電子メールまでも削除してしまう問題にも対応することが可能な、迷惑メールの送信を防止するための電子メール監視システムを提供する。【解決手段】  送信された電子メールについて、一般的な判定ルールにより判定を行い、判定ルールに該当しない場合には当該電子メール本文にＵＲＬへのリンクがあるかを判定する。ＵＲＬへのリンクがある場合には、当該ＵＲＬにより指定されたＷｅｂサーバにアクセスして、所定の表示データをダウンロードする。ダウンロードした表示データについてもさらに一般的な判定ルールによる判定、当該表示データ本文に新たなＵＲＬへのリンクがあるかの判定を行い、誘導ＵＲＬの追跡を繰返す。ＵＲＬへのリンクがないと判定されると、受付可能な電子メールとして承認される。【選択図】        図３
2005056048.tif 000002
【特許請求の範囲】
【請求項１】
受信した電子メールが迷惑メールでないかを監視する電子メール監視システムであって、
送信者の操作する端末装置から通信ネットワークを通じて電子メールを受信する電子メール受信手段と、
電子メールを迷惑メールと判定する判定ルールを格納する判定ルール格納手段と、
前記電子メール受信手段が受信した電子メールについて、前記判定ルールを参照して迷惑メールかを判定する迷惑メール判定手段と、
前記電子メールの本文にＵＲＬへのリンクがあるかを判定するＵＲＬ判定手段と、
前記ＵＲＬ判定手段においてＵＲＬへのリンクがあると判定すると、前記ＵＲＬにより指定されたサーバ又はファイルにアクセスして所定の表示データを取得する表示データ取得手段と、
受信者が取得可能な電子メールを格納する電子メール格納手段と、
を備えた電子メール監視システムであって、
前記迷惑メール判定手段は、前記表示データについても前記判定ルールを参照して迷惑メールかを判定し、
前記ＵＲＬ判定手段は、前記表示データの本文についてもＵＲＬへのリンクがあるかを判定し、
前記電子メール格納手段には、前記迷惑メール判定手段において前記電子メール及び前記表示データのいずれについても迷惑メールでないと判定され、かつ前記ＵＲＬ判定手段において前記電子メールの本文及び前記表示データの本文のいずれについてもＵＲＬへのリンクがないと判定された電子メールが格納されること
を特徴とする電子メール監視システム。
【請求項２】
前記迷惑メール判定手段において前記電子メール又は前記表示データの少なくとも一つが迷惑メールであると判定されると、前記送信者の操作する端末装置に前記電子メール又は前記電子メールの受信が拒否されたことを示すメッセージを返信する電子メール返信手段を備えること
を特徴とする請求項１記載の電子メール監視システム。
【請求項３】
前記判定ルール格納手段には、迷惑メールと判定されるＵＲＬに関するルールが格納されていて、
前記迷惑メール判定手段において前記表示データが迷惑メールであると判定されると、前記表示データを取得したサーバ又はファイルにかかるＵＲＬ、若しくは前記電子メール本文に含まれるＵＲＬの少なくとも一つを前記判定ルール格納手段に登録するＵＲＬ登録手段を備えること
を特徴とする請求項１又は２記載の電子メール監視システム。
【請求項４】
前記受信者は、前記電子メール格納手段から携帯電話を用いて電子メールを取得することを特徴とする請求項１乃至３いずれかに記載の電子メール監視システム。
【請求項５】
受信した電子メールが迷惑メールでないかを監視する電子メール監視プログラムであって、コンピュータに、
送信者の操作する端末装置から通信ネットワークを通じて電子メールを受信する電子メール受信ステップと、
電子メールを迷惑メールと判定する判定ルールを格納する判定ルール格納装置を参照して、前記電子メール受信ステップにおいて受信した電子メールが迷惑メールかを判定する迷惑メール判定ステップと、
前記電子メールの本文にＵＲＬへのリンクがあるかを判定するＵＲＬ判定ステップと、
前記ＵＲＬ判定ステップにおいてＵＲＬへのリンクがないと判定されると、受信者が取得可能な電子メールを格納する電子メール格納装置に前記電子メールを格納する電子メール格納ステップと、
を実行させるための電子メール監視プログラム。
【請求項６】
前記コンピュータに、
前記迷惑メール判定ステップにおいて前記電子メールが迷惑メールであると判定されると、前記送信者の操作する端末装置に前記電子メール又は前記電子メールの受信が拒否されたことを示すメッセージを返信する電子メール返信ステップを実行させること
を特徴とする請求項５記載の電子メール監視プログラム。
【請求項７】
前記コンピュータに、
前記ＵＲＬ判定ステップにおいてＵＲＬへのリンクがあると判定されると、前記ＵＲＬにより指定されたサーバ又はファイルにアクセスして所定の表示データを取得する表示データ取得ステップと、
前記判定ルール格納装置を参照して、前記表示データが迷惑メールかを判定する第二の迷惑メール判定ステップと、
前記表示データの本文にＵＲＬへのリンクがあるかを判定する第二のＵＲＬ判定ステップと、
前記ＵＲＬ判定ステップにおいてＵＲＬへのリンクがないと判定されると、前記電子メール格納装置に前記電子メールを格納する第二の電子メール格納ステップと、
を実行させることを特徴とする請求項５記載の電子メール監視プログラム。
【請求項８】
前記コンピュータに、
前記第二の迷惑メール判定ステップにおいて前記表示データが迷惑メールであると判定されると、前記送信者の操作する端末装置に前記電子メール又は前記電子メールの受信が拒否されたことを示すメッセージを返信する第二の電子メール返信ステップを実行させること
を特徴とする請求項６記載の電子メール監視プログラム。
【請求項９】
前記判定ルール格納装置には、迷惑メールと判定されるＵＲＬに関するルールが格納されていて、
前記コンピュータに、
前記第二の迷惑メール判定ステップにおいて前記表示データが迷惑メールであると判定されると、前記表示データを取得したサーバ又はファイルにかかるＵＲＬ、若しくは前記電子メール本文に含まれるＵＲＬの少なくとも一つを前記判定ルール格納装置に登録するＵＲＬ登録ステップを実行させること
を特徴とする請求項７又は８記載の電子メール監視プログラム。
【請求項１０】
受信した電子メールが迷惑メールでないかを監視する電子メール監視方法であって、
コンピュータが、送信者の操作する端末装置から通信ネットワークを通じて電子メールを受信する電子メール受信ステップと、
前記コンピュータが、電子メールを迷惑メールと判定する判定ルールを格納する判定ルール格納装置を参照して、前記電子メール受信ステップにおいて受信した電子メールが迷惑メールかを判定する迷惑メール判定ステップと、
前記コンピュータが、前記電子メールの本文にＵＲＬへのリンクがあるかを判定するＵＲＬ判定ステップと、
前記コンピュータが、前記ＵＲＬ判定ステップにおいてＵＲＬへのリンクがないと判定されると、受信者が取得可能な電子メールを格納する電子メール格納装置に前記電子メールを格納する電子メール格納ステップと、
を有することを特徴とする電子メール監視方法。
【請求項１１】
前記コンピュータが、前記迷惑メール判定ステップにおいて前記電子メールが迷惑メールであると判定されると、前記送信者の操作する端末装置に前記電子メール又は前記電子メールの受信が拒否されたことを示すメッセージを返信する電子メール返信ステップを有すること
を特徴とする請求項１０記載の電子メール監視方法。
【請求項１２】
前記コンピュータが、前記ＵＲＬ判定ステップにおいてＵＲＬへのリンクがあると判定されると、前記ＵＲＬにより指定されたサーバ又はファイルにアクセスして所定の表示データを取得する表示データ取得ステップと、
前記コンピュータが、前記判定ルール格納装置を参照して、前記表示データが迷惑メールかを判定する第二の迷惑メール判定ステップと、
前記コンピュータが、前記表示データの本文にＵＲＬへのリンクがあるかを判定する第二のＵＲＬ判定ステップと、
前記コンピュータが、前記ＵＲＬ判定ステップにおいてＵＲＬへのリンクがないと判定されると、前記電子メール格納装置に前記電子メールを格納する第二の電子メール格納ステップと、
を有することを特徴とする請求項１０記載の電子メール監視方法。
【請求項１３】
前記コンピュータが、前記第二の迷惑メール判定ステップにおいて前記表示データが迷惑メールであると判定されると、前記送信者の操作する端末装置に前記電子メール又は前記電子メールの受信が拒否されたことを示すメッセージを返信する第二の電子メール返信ステップを有すること
を特徴とする請求項１２記載の電子メール監視方法。
【請求項１４】
前記判定ルール格納装置には、迷惑メールと判定されるＵＲＬに関するルールが格納されていて、
前記コンピュータが、前記第二の迷惑メール判定ステップにおいて前記表示データが迷惑メールであると判定されると、前記表示データを取得したサーバ又はファイルにかかるＵＲＬ、若しくは前記電子メール本文に含まれるＵＲＬの少なくとも一つを前記判定ルール格納装置に登録するＵＲＬ登録ステップを有すること
を特徴とする請求項１２又は１３記載の電子メール監視方法。
【発明の詳細な説明】
【技術分野】
【０００１】
本発明は、携帯電話等に送信される迷惑メールの送信を防止するための電子メール監視システム、電子メール監視プログラム及び電子メール監視方法に関するものである。
【背景技術】
【０００２】
電子メールの普及に伴い、様々な商品やサービスの広告媒体として電子メールが利用されるようになっている。そうした中で、電子メールの着信が可能な携帯電話に対して無作為に広告宣伝やサイト閲覧の勧誘等の電子メールを送信するいわゆる迷惑メールが増加しているが、携帯電話においては着信を拒否することができないために必要以上に着信音が鳴らされる、受信者が着信時の通信費を負担しなければならないなど、迷惑メールは社会問題となっている。
【０００３】
このような迷惑メールを防止するために、メールサーバを管理するプロバイダにおいて、迷惑メールの可能性のある電子メールを遮断するフィルタリング技術が提供されるようになっている。フィルタリングの方法には、送信者をキーに迷惑メールの可能性が高い送信者からの電子メールを除去する方法、電子メール本文を解読して迷惑メールの可能性が高いキーワードが含まれる電子メールを除去する方法などが用いられている。
【０００４】
上記の他に、迷惑メールの中には、特定のサイトにアクセスさせて有料コンテンツを参照させる、特定の電話番号に電話をかけさせて有料番組を聴取させる、といった目的でＵＲＬや電話番号を本文中に含むものが多くなっている。このような問題に対処するために、ＵＲＬや電話番号へのリンクがある電子メールを判別して、自動的に削除する技術についても開示されている（例えば、特許文献１参照。）。
【０００５】
【特許文献１】特開２００３−１３１９９９号公報
【発明の開示】
【発明が解決しようとする課題】
【０００６】
上記に説明した様々なフィルタリング技術により、一定の迷惑メールを排除することが可能になっている。しかしながら、フィルタリング技術においては除去の対象となる送信者、キーワードなどを予めルールとして定めておくことが必要であるため、迷惑メールの送信者側がこれらを回避するよう工夫すると、メールサーバの管理者も絶えずルールを更新しないとフィルタリングの実効性が確保できなくなってしまう。
【０００７】
ＵＲＬ等のリンクがあれば除去する方法についても、ＵＲＬが含まれる全ての電子メールを除去することとすると必要な電子メールまでも削除されてしまう可能性が高くなるため、有害等と判断されるＵＲＬを予めルールとして定めておいてフィルタリングすることが好ましいが、この場合は上記と同様にルールの更新が必要になるという問題が発生する。また、迷惑メールの中には本文には問題がないサイトのＵＲＬへリンクさせておき、そのサイトからダウンロードしたデータに別途有害なＵＲＬへのリンクが貼られているという、いわゆる誘導ＵＲＬが利用される場合がある。誘導ＵＲＬは２重、３重に設けられている場合もあり、フィルタリング技術によっては対応が困難となっている。
【０００８】
さらに、フィルタリング技術において迷惑メールと判定された電子メールは一律に削除されるのが一般的であるが、フィルタリングのルールが正確なものとなっていないと、迷惑メールではない必要な電子メールまでも削除してしまう恐れがある。一方で、このような事態を防止するために、明らかに迷惑メールと認められるもののみを削除することとすると、逆にフィルターを通過してしまう迷惑メールが増加してしまい、迷惑メールを防止するという本来の効果が薄められてしまうことになる。
【０００９】
本発明は、このような課題に対応するためになされたものであり、誘導ＵＲＬへの対応が可能であり、かつフィルタリングのルールの一部を自動更新することが可能であって、必要な電子メールまでも削除してしまう問題にも対応することが可能な、迷惑メールの送信を防止するための電子メール監視システム、電子メール監視プログラム及び電子メール監視方法を提供することを目的とするものである。
【課題を解決するための手段】
【００１０】
これらの課題を解決するために、本発明は、受信した電子メールが迷惑メールでないかを監視する電子メール監視システムであって、送信者の操作する端末装置から通信ネットワークを通じて電子メールを受信する電子メール受信手段と、電子メールを迷惑メールと判定する判定ルールを格納する判定ルール格納手段と、前記電子メール受信手段が受信した電子メールについて、前記判定ルールを参照して迷惑メールかを判定する迷惑メール判定手段と、前記電子メールの本文にＵＲＬへのリンクがあるかを判定するＵＲＬ判定手段と、前記ＵＲＬ判定手段においてＵＲＬへのリンクがあると判定すると、前記ＵＲＬにより指定されたサーバ又はファイルにアクセスして所定の表示データを取得する表示データ取得手段と、受信者が取得可能な電子メールを格納する電子メール格納手段と、を備えた電子メール監視システムであって、前記迷惑メール判定手段は、前記表示データについても前記判定ルールを参照して迷惑メールかを判定し、前記ＵＲＬ判定手段は、前記表示データの本文についてもＵＲＬへのリンクがあるかを判定し、前記電子メール格納手段には、前記迷惑メール判定手段において前記電子メール及び前記表示データのいずれについても迷惑メールでないと判定され、かつ前記ＵＲＬ判定手段において前記電子メールの本文及び前記表示データの本文のいずれについてもＵＲＬへのリンクがないと判定された電子メールが格納されることを特徴とする。
【００１１】
この発明により、電子メール本文には迷惑メールのルールに該当しないＵＲＬしか存在しない場合であっても、ＵＲＬを順次追跡して迷惑メールに該当する内容のものが現れないかを調査することにより、送信者が誘導ＵＲＬを利用した場合であっても迷惑メールであると判定して、受信者への送信を防止することができる。
【００１２】
また、本発明は、前記迷惑メール判定手段において前記電子メール又は前記表示データの少なくとも一つが迷惑メールであると判定されると、前記送信者の操作する端末装置に前記電子メール又は前記電子メールの受信が拒否されたことを示すメッセージを返信する電子メール返信手段を備えることを特徴とすることもできる。
【００１３】
この構成においては、迷惑メールと判定された電子メールを削除するのではなく、送信者宛に返信、又は受信を拒否したメッセージを送信することにより、形式的にはルールに該当するが知人等が送信した有効な電子メールまでも削除してしまうことを防止することができる。
【００１４】
さらに、本発明は、前記判定ルール格納手段には、迷惑メールと判定されるＵＲＬに関するルールが格納されていて、前記迷惑メール判定手段において前記表示データが迷惑メールであると判定されると、前記表示データを取得したサーバ又はファイルにかかるＵＲＬ、若しくは前記電子メール本文に含まれるＵＲＬの少なくとも一つを前記判定ルール格納手段に登録するＵＲＬ登録手段を備えることを特徴とすることもできる。
【００１５】
この構成においては、ＵＲＬの追跡調査の結果、迷惑メールと判定された場合に、追跡の過程でアクセスしたＵＲＬは迷惑メールに関連するサイトにかかるＵＲＬであると判断して、当該ＵＲＬを迷惑メールの判定ルールに登録する。このように構成することで、誘導ＵＲＬにかかる判定を行いながら、自動的に迷惑メールに関連する判定ルールを更新することができる。
【００１６】
さらに、本発明は、前記受信者は、前記電子メール格納手段から携帯電話を用いて電子メールを取得することを特徴とすることもできる。
【００１７】
本発明において受信者が電子メールを取得するのに用いられる端末装置は、パソコン、携帯電話、ＰＤＡなど通信ネットワークに接続して電子メールの送受信が可能なものであればどのような装置でもよいが、パソコン等で送受信するための電子メールであるとすると、リンクが貼られたＵＲＬのサーバから取得するファイルのサイズが大きくても構わないため、データ量が多いと判定にかかる処理が重くなってしまうという問題がある。一方、携帯電話を用いた電子メールであれば、ＵＲＬの指定するサーバにアクセスするサーバからダウンロードするデータ量も制限されていることが一般的であるため、本発明の構成に特に適している。
【００１８】
さらに、本発明は、本発明にかかる電子メール監視システムを動作させるための電子メール監視プログラムとして構成することもできる。
【００１９】
つまり、本発明にかかる電子メール監視プログラムは、受信した電子メールが迷惑メールでないかを監視する電子メール監視プログラムであって、コンピュータに、送信者の操作する端末装置から通信ネットワークを通じて電子メールを受信する電子メール受信ステップと、電子メールを迷惑メールと判定する判定ルールを格納する判定ルール格納装置を参照して、前記電子メール受信ステップにおいて受信した電子メールが迷惑メールかを判定する迷惑メール判定ステップと、前記電子メールの本文にＵＲＬへのリンクがあるかを判定するＵＲＬ判定ステップと、前記ＵＲＬ判定ステップにおいてＵＲＬへのリンクがないと判定されると、受信者が取得可能な電子メールを格納する電子メール格納装置に前記電子メールを格納する電子メール格納ステップと、を実行させるための電子メール監視プログラムである。前記コンピュータに、前記迷惑メール判定ステップにおいて前記電子メールが迷惑メールであると判定されると、前記送信者の操作する端末装置に前記電子メール又は前記電子メールの受信が拒否されたことを示すメッセージを返信する電子メール返信ステップを実行させることを特徴とすることもできる。
【００２０】
さらに、前記コンピュータに、前記ＵＲＬ判定ステップにおいてＵＲＬへのリンクがあると判定されると、前記ＵＲＬにより指定されたサーバ又はファイルにアクセスして所定の表示データを取得する表示データ取得ステップと、前記判定ルール格納装置を参照して、前記表示データが迷惑メールかを判定する第二の迷惑メール判定ステップと、前記表示データの本文にＵＲＬへのリンクがあるかを判定する第二のＵＲＬ判定ステップと、前記ＵＲＬ判定ステップにおいてＵＲＬへのリンクがないと判定されると、前記電子メール格納装置に前記電子メールを格納する第二の電子メール格納ステップと、を実行させることを特徴とすることもできる。さらに、前記コンピュータに、前記第二の迷惑メール判定ステップにおいて前記表示データが迷惑メールであると判定されると、前記送信者の操作する端末装置に前記電子メール又は前記電子メールの受信が拒否されたことを示すメッセージを返信する第二の電子メール返信ステップを実行させることを特徴としてもよい。さらに、前記判定ルール格納装置には、迷惑メールと判定されるＵＲＬに関するルールが格納されていて、前記コンピュータに、前記第二の迷惑メール判定ステップにおいて前記表示データが迷惑メールであると判定されると、前記表示データを取得したサーバ又はファイルにかかるＵＲＬ、若しくは前記電子メール本文に含まれるＵＲＬの少なくとも一つを前記判定ルール格納装置に登録するＵＲＬ登録ステップを実行させることを特徴としてもよい。
【００２１】
さらに、本発明は、本発明にかかる電子メール監視システム又は電子メール監視プログラムを利用した電子メール監視方法として構成することもできる。
【発明の効果】
【００２２】
本発明により、いわゆる誘導ＵＲＬを利用した迷惑メールについても、プロバイダ側のメールサーバにおいて受信者への配信を停止させることが可能になる。また、迷惑メールを判定するルールのうち電子メール本文等に含まれるＵＲＬに関するルールを、日常的な判定の中で自動的に更新することができる。さらに、判定ルールに該当しながらも本来は必要な電子メールが迷惑メールと判定されてしまった場合であっても、電子メールの送信者に受信が拒否されたことを通知することによって、必要な電子メールが削除されてしまうことを防止することができる。
【発明を実施するための最良の形態】
【００２３】
本発明を実施するための最良の形態について、図面を用いて以下に詳細に説明する。尚、以下の実施形態においては、携帯電話を用いて電子メールを送受信する例について説明するが、本発明はかかる実施形態に限定されるものではなく、送受信する端末の一方又は双方がパソコン等携帯電話以外の端末を利用するものであってもよい。
【００２４】
図１は、本発明にかかる電子メール監視システムの概要を示すブロック図である。図２は、本発明にかかる電子メール監視システムの詳細な構成を示すブロック図である。図３は、本発明にかかる電子メール監視方法の手順を示す図である。図４は、本発明にかかる電子メール監視方法の第一の実施態様のフローを示すフローチャートである。図５、図６は、本発明にかかる電子メール監視方法の第二の実施態様のフローを示すそれぞれ第一、第二のフローチャートである。
【００２５】
本発明にかかる電子メール監視システムは、図１に示すように、携帯電話会社等の通信事業者システム１０に設けられている。図１においては、本発明にかかる電子メール監視システムを携帯電話を用いた電子メールの送受信に用いており、携帯電話３１〜３３からは、基地局２１〜２３を介してパケット通信網により通信事業者システム１０内に設けられたメールサーバ１２にアクセスして、電子メールの送受信を行うことができる。
【００２６】
携帯電話３１〜３３から電子メールを送信すると、通信事業者システム１０ではメール受付部１１において電子メールを受信して、迷惑メール判定部１４において迷惑メールか否かの判定を行う。判定においては、迷惑メールと判定する送信者や本文のキーワード等を登録した判定ルールデータベース１５を参照するとともに、電子メール本文にＵＲＬへのリンクが貼られている場合には、当該ＵＲＬにアクセスして該当するＷｅｂサーバからデータをダウンロードする。ダウンロードして表示されるデータについても判定ルールデータベース１５を参照し、迷惑メールと判定するルールに該当する内容を含むものであれば、誘導ＵＲＬを用いた迷惑メールであると判定する。
【００２７】
このように迷惑メールであると判定された電子メールは、メール送受信部１３より送信者に対して返信される。迷惑メールのルールに該当してしまったが、実際は送信者が知人等であって必要な電子メールであるといった場合には、送信者は当該電子メールが送信されなかったことを知ることができるので、電話など他の手段により受信者と連絡をとるなど、何らかの対策を講じることができる。一方、迷惑メールでないと判定された電子メールは、メールサーバ１２に格納されて、受信者として指定された携帯電話に送信されるか、又は受信者が携帯電話を用いてメールサーバ１２にアクセスし、本人宛の電子メールを取得することができる。
【００２８】
図２に示した迷惑メール判定部１４と判定ルールデータベース１５の詳細な構成を用いて、本発明にかかる電子メール監視方法についてさらに詳細に説明する。迷惑メール判定部１４には、ルール判定部１４１、ＵＲＬ判定部１４２、表示データ取得部１４３、メール書込部１４４、メール返信部１４５及びＵＲＬ登録部１４６を含むことができる。尚、これらの各部は物理的に分離されたものではなく、それぞれの機能を有するプログラムがメモリ領域に読み出されて、各部が行うべき処理を実行する。
【００２９】
メール受付部１１において受け付けられた電子メールは、まずルール判定部１４１において一般的な迷惑メールの判定ルールにより判定が行われる。判定ルールは判定ルールデータベース１５に格納されている。例えば、キーワード格納部１５１には迷惑メールの本文に用いられやすいキーワードが登録されていて、電子メール本文に該当するキーワードが含まれる場合には、迷惑メールであると判定される。また、送信者格納部１５２には迷惑メールの送信実績がある送信者アドレスが登録されていて、電子メールの送信者がここに登録されたものである場合には、迷惑メールであると判定される。さらに、ＵＲＬ格納部１５３には有害サイト等のＵＲＬが登録されていて、電子メール本文に該当するＵＲＬのリンクが貼られている場合には、迷惑メールであると判定される。尚、判定ルールはこれらに限られるものではなく、他のルールを用いるものであってもよい。
【００３０】
これらの判定ルールにより迷惑メールであると判定されると、当該電子メールはメール返信部１４５からメール送受信部１３を介して送信者に返信される。送信者に対しては当該電子メールをそのまま返信してもよいし、当該電子メールが迷惑メールと判定されて受け付けられなかった旨のメッセージを送信するものであってもよい。
【００３１】
一方、判定ルールによっては迷惑メールであると判定されなかった電子メールについては、ＵＲＬ判定部１４２において当該電子メール本文にＵＲＬへのリンクが貼られているか否かを判定する。ＵＲＬへのリンクが貼られていない場合には、最終的に迷惑メールに該当しないものと判定して、当該電子メールをメール書込部１４４からメールサーバ１２に格納して、受信者が受信可能な状態に置かれる。
【００３２】
ＵＲＬへのリンクが貼られている場合、当該ＵＲＬはＵＲＬ格納部１５３には登録されていなかったため、それ自体は有害サイトではないかもしれないが、当該ＵＲＬが誘導ＵＲＬとして使用されている可能性もある。そこで、表示データ取得部１４３において当該ＵＲＬにより指定されたＷｅｂサーバにアクセスして、当該ＵＲＬからダウンロードして携帯電話に表示される表示データを取得する。この表示データについて、ルール判定部１４１で迷惑メールのルールに該当するか否かを判定する。
【００３３】
ここで当該表示データに迷惑メールに該当する内容のものが含まれていると判定されると、先に説明したのと同様に受け付けた電子メールをメール返信部１４５から送信者に返信する。また、当該ＵＲＬは有害サイト、又は有害サイトに誘導する誘導ＵＲＬであると判定されるため、当該ＵＲＬをＵＲＬ登録部１４６から新たなルールとしてＵＲＬ格納部１５３に格納する。このように、本発明によると、ＵＲＬの判定工程を通してＵＲＬ格納部１５３のルールを自動更新することができる。
【００３４】
一方、当該表示データに迷惑メールに該当する内容のものが含まれていないと判定される場合には、ＵＲＬ判定部１４２において当該表示データにさらにＵＲＬへのリンクが貼られていないか否かを判定する。ＵＲＬへのリンクが貼られていなければ、最終的に迷惑メールに該当しないものと判定して、当該電子メールをメール書込部１４４からメールサーバ１２に格納する。ＵＲＬへのリンクが貼られている場合には、さらに新たなＵＲＬにより指定されたＷｅｂサーバにアクセスして、当該ＵＲＬからダウンロードして携帯電話に表示される表示データを取得する。以降のフローは先の説明と同様であり、このような方法でＵＲＬの追跡が行われる。
【００３５】
図３は、本発明にかかる電子メール監視方法の手順について、特にＵＲＬの追跡について図示したものである。まず電子メールについて、一般的な判定ルールにより判定を行い、判定ルールに該当しない場合には、当該電子メール本文にＵＲＬへのリンクがあるかを判定する。ＵＲＬへのリンクがある場合には、当該ＵＲＬにより指定されたＷｅｂサーバにアクセスして、所定の表示データをダウンロードする。
【００３６】
次に当該表示データについて、一般的な判定ルールにより判定を行い、判定ルールに該当しない場合には、当該表示データ本文に新たなＵＲＬへのリンクがあるかを判定する。新たなＵＲＬへのリンクがある場合には、当該ＵＲＬにより指定されたＷｅｂサーバにアクセスして、さらに新たな表示データをダウンロードする。
【００３７】
続いて新たな表示データについて、一般的な判定ルールにより判定を行い、判定ルールに該当しない場合には、当該表示データ本文に新たなＵＲＬへのリンクがあるかを判定する。ＵＲＬへのリンクがないと判定されると、ここで有害サイトへの誘導ＵＲＬを含むものではないことが明らかになり、受付可能な電子メールとして承認される。
【００３８】
図４のフローチャートを用いて、ＵＲＬの追跡機能を備えた本発明にかかる電子メール監視方法の第一の実施態様のフローについて説明する。まず、監視システムにおいて受け付けた電子メールを取得し（Ｓ０１）、データベースに格納された迷惑メールの一般的な判定ルールを参照して（Ｓ０２）、判定ルールに該当しないかを判定する（Ｓ０３）。該当する場合には、送信者に当該電子メールが返信される（Ｓ０４）。
【００３９】
一方、該当しない場合には、続いて電子メール本文にＵＲＬへのリンクが含まれているか否かを判定する（Ｓ０５）。リンクが含まれていない場合は、最終的に迷惑メールでないものと判定されて、当該電子メールはメールサーバに格納される（Ｓ０６）。リンクが含まれている場合には、当該ＵＲＬにより指定されたＷｅｂサーバにアクセスして（Ｓ０７）、表示データをダウンロードする（Ｓ０８）。ダウンロードしたデータについては、判定ルールを参照して、以下は上記と同様の判定フローが繰返される（Ｓ０２〜）。
【００４０】
図５、図６のフローチャートを用いて、ＵＲＬの追跡機能に加えて、ＵＲＬに関する判定ルールの自動更新機能を備えた本発明にかかる電子メール監視方法の第二の実施態様のフローについて説明する。まず、監視システムにおいて受け付けた電子メールを取得し（Ｓ１１）、データベースに格納された迷惑メールの一般的な判定ルールを参照して（Ｓ１２）、判定ルールに該当しないかを判定する（Ｓ１３）。該当する場合には、送信者に当該電子メールが返信され（Ｓ１４）、該当しない場合には電子メール本文にＵＲＬへのリンクが含まれているか否かを判定し（Ｓ１５）、リンクが含まれていない場合は、最終的に迷惑メールでないものと判定されて、当該電子メールはメールサーバに格納される（Ｓ１６）。
【００４１】
リンクが含まれている場合には、当該ＵＲＬにより指定されたＷｅｂサーバにアクセスして（Ｓ１７）、表示データをダウンロードする（Ｓ１８）。ダウンロードしたデータについて、再び一般的な判定ルールを参照して（Ｓ１９）、判定ルールに該当しないかを判定する（Ｓ２０）。該当する場合には、送信者に当該電子メールが返信されるとともに（Ｓ２１）、当該表示データを取得したＵＲＬを迷惑メールに関連する誘導ＵＲＬであるとして、判定ルールに書き込む（Ｓ２２）。
【００４２】
一方、該当しない場合には、続いて表示データ本文に新たなＵＲＬへのリンクが含まれているか否かを判定する（Ｓ２３）。リンクが含まれていない場合は、最終的に迷惑メールでないものと判定されて、当該電子メールはメールサーバに格納される（Ｓ２４）。リンクが含まれている場合には、新たなＵＲＬにより指定されたＷｅｂサーバにアクセスして（Ｓ１７）、以下は上記と同様の判定フローが繰返される（Ｓ１８〜）。
【図面の簡単な説明】
【００４３】
【図１】本発明にかかる電子メール監視システムの概要を示すブロック図である。
【図２】本発明にかかる電子メール監視システムの詳細な構成を示すブロック図である。
【図３】本発明にかかる電子メール監視方法の手順を示す図である。
【図４】本発明にかかる電子メール監視方法の第一の実施態様のフローを示すフローチャートである。
【図５】本発明にかかる電子メール監視方法の第二の実施態様のフローを示す第一のフローチャートである。
【図６】本発明にかかる電子メール監視方法の第二の実施態様のフローを示す第二のフローチャートである。
【符号の説明】
【００４４】
１０    通信事業者システム
１１    メール受付部
１２    メールサーバ
１３    メール送受信部
１４    迷惑メール判定部
１４１  ルール判定部
１４２  ＵＲＬ判定部
１４３  表示データ取得部
１４４  メール書込部
１４５  メール返信部
１４６  ＵＲＬ登録部
１５    判定ルールデータベース
２１    基地局
２２    基地局
２３    基地局
３１    携帯電話
３２    携帯電話
３３    携帯電話
４１    Ｗｅｂサーバ
４２    Ｗｅｂサーバ
４３    Ｗｅｂサーバ
【図１】
2005056048.tif 000003
【図２】
2005056048.tif 000004
【図３】
2005056048.tif 000005
【図４】
2005056048.tif 000006
【図５】
2005056048.tif 000007
【図６】
2005056048.tif 000008